(57)【要約】【課題】課題は、図１のようなダイアフラム式の圧力調整器において、ピンとダイアフラムを一体化し、リリーフ通路を持たせながら、バルブ１０とのスライドを可能にするために、５の調圧スプリングの両端面平行度などの形状精度が悪くても、３のダイアフラムが傾かないようにしようとする点である。【解決手段】図２において、ダイアフラムアッセンブリ１４のピン部１８をバルブ１０でセンタリング勘合支持するとともに、ダイアフラムアッセンブリ１４の調圧スプリング側の端面１７を球面とし、調圧スプリング用リテーナ１５を設け、該リテーナとは上記球面で接触させ、スプリングの形状バラツキを両側の球状体で逃がす。【選択図】    図２
2007179293.tif 000002
【特許請求の範囲】
【請求項１】
高圧気体を減圧する圧力調整器において、調圧スプリング両端にスプリングリテーナを配置し、スプリングリテーナと調整スクリューの間、および、スプリングリテーナとダイアフラムアッセンブリの間、の双方に球状体を介在させることを特徴とする、圧力調整器の調圧スプリング支持方法。
【請求項２】
ダイアフラムアッセンブリの軸内部にリリーフ通路を設け、該軸はバルブ部でセンタリング勘合支持するとともに、ダイアフラムアッセンブリのスプリングリテーナ側の軸端面を球面とし、スプリングリテーナとは上記球面で接触することを特徴とする、請求項１の調圧スプリング支持方法。
【発明の詳細な説明】
【技術分野】
【０００１】
本発明は、高圧容器から減圧して使用する気体用で、気密保持のダイアフラムと、調圧用圧縮コイルスプリングと、バルブで、構成された圧力調整器に関するものである。
【背景技術】
【０００２】
従来の圧力調整器を図１に示す。図1において、１は圧力調整器ボデー本体、２はボンネット、３はダイアフラム、４は調整側スプリングリテーナ、５は調圧スプリング、６は圧力を手動でセットする調整スクリュー、７は上記調整スクリューの固定用ロックナット、８は高圧ガス入口、９は大気ポート、１０はバルブ、１１は２次圧力室、１２はピンで１０のバルブボデー内をスライドする、１３は減圧ガス出口である。８の入口にガス圧力のないとき、５のスプリングは、３のダイアフラム、１２のピンを介してバルブを開いている。８に高圧ガスが作用すると、高圧ガスは開かれている１０のバルブを通過して、１１の２次圧力室に入り、３のダイアフラムが移動、５のコイルスプリングを圧縮するとともにピン１２が１０のバルブに内蔵されたスプリング力でバルブを閉じる。１３側でガスを消費すると５のスプリング力で１０のバルブが開き高圧ガスが２次室に入る、上記の繰り返しによって、１３の出口圧力を一定に保つ作用をする。なお、設定圧力を下げるため、調整スクリューを緩めたとき、あるいは、周囲の温度上昇などで１３の圧力が設定圧力より高くなったときに、リリーフさせる必要があるが従来の圧力調整器はリリーフ通路のないものが一般的である。
【０００３】
一方、５の調圧スプリングは、両端面の平行度や軸の直角度などの精度が出にくいため、スプリングリテーナ４の片側の球面だけでは誤差を吸収できず３のダイアフラムを傾けてしまい、ピン１２とは図１のように傾斜して接触する。
【特許文献１】特開平６−２６６４４４
【特許文献２】特開２００１−３１７４２５
【発明の開示】
【発明が解決しようとする課題】
【０００４】
解決しようとする課題は、図１のようなダイアフラム式の圧力調整器において、１２のピンと３のダイアフラムを一体化し、ピン内にリリーフ通路を持たせ、１０のバルブとのスライドを可能にするために、５の調圧スプリング両端面の平行度などの形状精度が悪くても、３のダイアフラムが傾かないようにしようとする点である。
【課題を解決するための手段】
【０００５】
本発明は、図２において、ダイアフラムアッセンブリ１４のピン部１８をバルブ１０でセンタリング勘合支持するとともに、ダイアフラムアッセンブリのスプリング側の軸端面１７を球面とする。別途調圧スプリングのダイアフラム側にリテーナ１５を設け、該リテーナとは上記球面１７で接触することにより、スプリングの両端面の平行度や軸との直角度の形状精度に影響させない様にすることを主要な特徴とする。
【発明の効果】
【０００６】
圧力調整器の性能は調圧スプリングへの依存度が高く、調圧スプリングの品質管理に多くのコストを掛けていたものが、本案のように調圧スプリングのダイアフラム側に、新たにスプリングリテーナを追加し、ダイアフラムアッセンブリの軸を球状としてスプリングリテーナと接触させることで基本構造を変えずに、制御性の良いリリーフ機能を備えた圧力調整器を安価に実現することができる。
【発明を実施するための最良の形態】
【０００７】
以上説明したように、従来のダイアフラム式圧力調整器は、調圧スプリング両端面の形状精度がそのままダイアフラムの傾きや偏芯になってしまうため、ダイアフラムとピンを一体にできなかった、また、この場合はリリーフ通路を設けることもできなかった。本案は、ダイアフラム式圧力調整器に最適であり、スプリング形状精度維持にコストをかける必要がなくなり、リリーフ通路の設定が可能になるなど、高機能化と低コスト化に貢献できる。
【実施例】
【０００８】
図２は、本発明の実施例の断面図であって、１はボデー、２はボンネット、４は手動調整側スプリングリテーナ、５は調圧スプリング、６は調整スクリュー、７はロックナット、８は高圧ガス入口、９は大気ポート、１０はバルブ、１１は２次圧力室、１３は減圧ガス出口で図１と同様である。１４はダイアフラムアッセンブリ、１５は調圧スプリングのダイアフラム側リテーナ、１６はリリーフ通路、１７はダイアフラムアッセンブリ１４のスプリング側軸部で球面体とし、スプリングリテーナと接触する、１８はダイアフラムアッセンブリ１４のピン部で１０のバルブとスライドする。
【０００９】
圧力調整動作は、従来例と同様、高圧ガスが８から入ると１４のダイアフラムアッセンブリのピン部１８によって開かれている１０のバルブを通って１１の２次圧力室に入る、２次圧力は、１４のダイアフラムアッセンブリが受ける圧力と５のスプリング力のバランスで、１８のピン部が１０のバルブを閉じ、同じ１０のバルブシート部が１６のリリーフ通路を閉じたところで一定となる。２次圧力の設定は手動で６の調整スクリューを使用する。
【００１０】
周囲の温度上昇などで１３の圧力が設定圧力より高くなったとき、または、手動により設定圧力を下げるために、調整スクリューを緩めた場合、ダイアフラムアッセンブリ１４のピン部１８はバルブシートを離れ、ガスはリリーフ通路１６から９の大気ポートへ放出され減圧する。
【産業上の利用可能性】
【００１１】
以上説明したように、本発明の圧力調整器は、信頼性の高いダイアフラム式減圧に加え、リリーフ機能を持たせることができることから、今後の市場ニーズである安全、自動化、小型低コスト化に適合できる。
【図面の簡単な説明】
【００１２】
【図１】従来のダイアフラム式圧力調整器の説明図である。
【図２】本発明のダイアフラム式圧力調整器の説明図である。（実施例１）
【符号の説明】
【００１３】
１    ボデー
２    ボンネット
３    ダイアフラム
４    調整側スプリングリテーナ
５    調圧スプリング
６    調整スクリュー
７    ロックナット
８    高圧ガス入口
９    大気ポート
１０    バルブ
１１    ２次圧力室
１２    ピン
１３    減圧ガス出口  
１４    ダイアフラムアッセンブリ
１５    ダイアフラム側スプリングリテーナ
１６    リリーフ通路
１７    ダイアフラムアッセンブリスプリング側軸球面部
１８    ダイアフラムアッセンブリピン部
【図１】
2007179293.tif 000003
【図２】
2007179293.tif 000004